(57)【特許請求の範囲】
【請求項１】
時刻を計数する時刻計数手段と、
前記時刻計数手段の計数結果に基づいて日付及び曜日を計数する日付曜日計数手段と、
サマータイム期間が何月第何週の何曜日から何月第何週の何曜日までかを示す情報を設定するためのサマータイム情報設定手段と、
前記時刻計数手段及び前記日付曜日計数手段の計数結果と前記サマータイム情報設定手段で設定された前記情報とに基づき、現在サマータイム期間であるか否かの判定を行う判定手段と、
前記判定の結果に応じて、前記時刻計数手段の計数結果を補正する補正手段と、
前記時刻計数手段及び前記日付曜日計数手段の初期値を設定する初期値設定手段と
を備え、
前記判定手段は、前記サマータイム情報設定手段で前記情報が設定された際に前記初期値設定手段で前記初期値が設定されていた場合には、前記判定を行うとともに、前記情報の設定後所定時間毎に前記判定を行い、
また前記判定手段は、前記サマータイム情報設定手段で前記情報が設定された際に前記初期値設定手段で前記初期値が設定されていなかった場合には、前記初期値が設定された際に前記判定を行い、前記補正手段は、前記初期値が設定された際に前記判定手段により前記判定が行われた場合には、前記時刻計数手段の計数結果を補正しない
時刻調整装置。
【請求項２】
請求項１に記載の時刻調整装置において、
前記判定手段は、前記判定を行う際に、前記日付曜日計数手段で計数された日の値Ｄに対して、
ｎ＝｛１＋（Ｄ−１）／７｝の整数部
の演算を行うことにより、前記日付曜日計数手段で計数された曜日が該日付曜日計数手段で計数された月の前記ｎ週目の曜日であることを算出する
時刻調整装置。
【請求項３】
請求項２に記載の時刻調整装置において、
前記判定手段は、前記演算手段の演算によって前記曜日が前記月の第４週目の曜日であることが算出された場合、前記値Ｄに７を加算した値が前記月の末日の値よりも大きいか否かによって、前記曜日が前記月の最終週の曜日であるか否かを判断する
時刻調整装置。
【請求項４】
時刻を計数する時刻計数手段と、
前記時刻計数手段の計数結果に基づき、日付及び曜日を計数する日付曜日計数手段と、
前記時刻計数手段及び前記日付曜日計数手段の初期値を設定する初期値設定手段と、
サマータイム期間が何月第何週の何曜日から何月第何週の何曜日までかを示す情報を設定するためのサマータイム情報設定手段とを有する装置を用いて、サマータイム期間とサマータイム期間以外の期間とで時刻を調整する時刻調整方法において、
前記サマータイム情報設定手段で前記情報が設定された際に前記初期値設定手段で前記初期値が設定されていなかった場合には、前記初期値が設定された際に、前記時刻計数手段及び前記日付曜日計数手段の計数結果と前記サマータイム情報設定手段で設定された前記情報とに基づき、現在サマータイム期間であるか否かの判定を行い、他方、前記サマータイム情報設定手段で前記情報が設定された際に前記初期値設定手段で前記初期値が設定されていた場合には、前記情報が設定された際に、前記時刻計数手段及び前記日付曜日計数手段の計数結果と前記サマータイム情報設定手段で設定された前記情報とに基づき、現在サマータイム期間であるか否かの判定を行い、該判定の結果に応じて、前記時刻計数手段の計数結果を補正する第１ステップと、
前記第１ステップの終了後、所定時間毎に、前記時刻計数手段及び前記日付曜日計数手段の計数結果と前記サマータイム情報設定手段で設定された前記情報とに基づき、現在サマータイム期間であるか否かの判定を行い、該判定の結果に応じて、前記時刻計数手段の計数結果を補正する第２ステップと
を含む時刻調整方法。
【請求項５】
請求項４に記載の時刻調整方法において、
前記第１ステップ及び前記第２ステップでの判定を行う際に、前記日付曜日計数手段で計数された日の値Ｄに対して、ｎ＝｛１＋（Ｄ−１）／７｝の整数部の演算を行うことにより、前記日付曜日計数手段で計数された曜日が該日付曜日計数手段で計数された月の前記ｎ週目の曜日であることを算出する
時刻調整方法。
【請求項６】
請求項５に記載の時刻調整方法において、
前記演算によって前記曜日が前記月の第４週目の曜日であることが算出された場合、前記値Ｄに７を加算した値が前記月の末日の値よりも大きいか否かによって、前記曜日が前記月の最終週の曜日であるか否かを判断する
時刻調整方法。
【発明の詳細な説明】
【０００１】
【発明の属する技術分野】
本発明は、例えばテレビ会議システムにおいてモニターに表示する時刻やＶＴＲに記録する時刻を、サマータイム期間とそれ以外の期間とで調整する装置及び方法に関する。
【０００２】
【従来の技術】
近年、ＩＳＤＮ（Integrated Services Digital Network ）回線やデジタル専用線を利用したテレビ会議システムが、建物や駐車場等の警備用の遠隔監視システム等として応用されるようになっている。
【０００３】
図７は、こうした遠隔監視システムの概要を示す。
警備対象の建物や駐車場と、この建物や駐車場からは離れた場所にある警備会社内の警備員詰め所との両方に、それぞれテレビ会議端末装置５１と６１とが設置され、その建物のドア付近や駐車場出入口付近が、テレビ会議端末装置５１のビデオカメラ５２で撮影される。
【０００４】
そして、その建物や駐車場においてドアの開閉や自動車の出入りが赤外線センサー７１で感知されると、それに基づいて、テレビ会議端末装置５１の画像コーデック５３から警備員詰め所のテレビ会議端末装置６１の画像コーデック６２に対して接続要求の信号が送信されることにより、回線が接続される（例えばＩＳＤＮ回線を利用している場合には、Ｄチャンネルを使って接続要求の信号が送信されることにより、ＢチャンネルやＨチャンネルでの接続が行われる）。
【０００５】
これにより、テレビ会議端末装置５１のビデオカメラ５２で撮影された建物のドア付近や駐車場出入口付近の画像が、テレビ会議端末装置５１の画像コーデック５３で符号化されて回線を介してテレビ会議端末装置６１に送信される。
【０００６】
テレビ会議端末装置６１では、その画像が画像コーデック６２で復号されて、モニター６３にリアルタイムに表示される。その際、モニター６３の画面の片隅には、スーパ処理部６４により、現在の日付，曜日及び時刻の文字がスーパインポーズされて表示される。
【０００７】
また、画像コーデック６２で復号された画像は、現在の日付，曜日及び時刻を示す情報とともに、ＶＴＲ６５に記録される。
【０００８】
ところで、サマータイム制度の存在する地域でこの遠隔監視システムを使用する場合、図７のテレビ会議端末装置６１側では、モニター６３に表示する時刻やＶＴＲ６５に記録する時刻を、サマータイム期間にはそれ以外の期間よりも一定時間（一般には１時間）進めるように調整する必要がある。
【０００９】
そのため、従来のこの遠隔監視システムでは、図７のテレビ会議端末装置６１側に、図８に示すような時刻調整装置を設けていた。この時刻調整装置には、所定周波数の基準信号を発信する発信回路１０１と、発信回路１０１からの基準信号を分周する分周回路１０２と、分周回路１０２で分周された基準信号から時刻を計数する時刻計数回路１０３と、時刻計数回路１０３で計数された時刻から日付の変更を判断して日付及び曜日を計数する日付曜日計数回路１０４と、通常の時間とサマータイムとを切り換える操作を行うためのサマータイム切換キー１０５と、時刻計数回路１０３及び日付曜日計数回路１０４で計数された日付，曜日及び時刻をサマータイム切換キー１０５の操作に応じて補正する時刻補正回路１０６とが設けられている。
【００１０】
サマータイム期間には、ユーザーがサマータイムへの切り換え操作をサマータイム切換キー１０５で行っておくことに基づき、時刻補正回路１０６が、時刻計数回路１０３及び日付曜日計数回路１０４で計数された日付，曜日及び時刻を、１時間だけ進める補正を行う。そして、この１時間分だけ進められた日付，曜日及び時刻を示す情報が、図７のスーパ処理部６４及びＶＴＲ６５に送られる。
【００１１】
他方、サマータイム以外の期間には、ユーザーが通常の時間への切り換え操作をサマータイム切換キー１０５で行っておくことに基づき、時刻計数回路１０３及び日付曜日計数回路１０４で計数された日付，曜日及び時刻を示す情報が、そのままスーパ処理部６４及びＶＴＲ６５に送られる。
【００１２】
【発明が解決しようとする課題】
しかし、このような従来の時刻調整装置では、サマータイム期間の開始時及び終了時にユーザーが通常の時間とサマータイムとの切り換え操作を行わなければならないので、繁雑であるとともに、この操作を忘れると誤った時刻が表示及び記録されてしまうという不都合があった。
【００１３】
また、このようなユーザーの操作を不要にすることを目的として、予めサマータイム期間の開始時及び終了時の情報をメーカー側でメモリに記憶させておき、この記憶情報に基づいて図８のサマータイム時刻補正回路１０６に自動的に時刻の補正を行わせる方式も考えられている。
【００１４】
しかし、サマータイム期間の開始時や終了時は、一般に、何月の第何週の何曜日というように決められているので、毎年特定の日付に固定されているわけではない。したがって、この方式で毎年自動的に通常の時間とサマータイムとを切り換えるためには、何十年分にも亘って当該年のサマータイム期間の開始時や終了時の日付を記憶しておくことが必要である。
【００１５】
しかも、現在サマータイム制度の存在しない地域に将来サマータイム制度が設けられるような場合には、予めサマータイム期間の開始時及び終了時の情報をメモリに記憶させておくことはできないので、この方式を採用し得ない。
【００１６】
本発明は、上述の点に鑑み、ユーザーに繁雑な操作を強いることなく、しかも、サマータイム制度の存在しない地域に将来サマータイム制度が設けられるような場合にも、サマータイム期間とそれ以外の期間とでの時刻の調整を行えるようにすることを課題としてなされたものである。
【００１７】
【課題を解決するための手段】
この課題を解決するために、本出願人は、請求項１に記載のように、時刻を計数する時刻計数手段と、時刻計数手段の計数結果に基づいて日付及び曜日を計数する日付曜日計数手段と、サマータイム期間が何月第何週の何曜日から何月第何週の何曜日までかを示す情報を設定するためのサマータイム情報設定手段と、時刻計数手段及び日付曜日計数手段の計数結果とサマータイム情報設定手段で設定された情報とに基づき、現在サマータイム期間であるか否かの判定を行う判定手段と、この判定の結果に応じて、時刻計数手段の計数結果を補正する補正手段とを備えた時刻調整装置を提案する。
【００１８】
この時刻調整装置では、サマータイム期間が何月第何週の何曜日から何月第何週の何曜日までかを示す情報をユーザーがサマータイム情報設定手段で設定すると、判定手段により、時刻計数手段及び日付曜日計数手段で計数された日付，曜日及び時刻とサマータイム情報設定手段で設定された情報とに基づき、現在サマータイム期間であるか否かの判定が行われる。そして、その判定結果に応じて、補正手段により、時刻計数手段で計数された時刻が補正されることにより、サマータイム期間とそれ以外の期間とでの時刻の調整が行われる。
【００１９】
このように、ユーザーはサマータイム期間の設定を一度だけ行えば足り、しかも、サマータイム制度の存在しない地域に将来サマータイム制度が設けられるような場合にも、サマータイム制度が設けられた際にこの設定を行えば足りる。
【００２０】
したがって、ユーザーに繁雑な操作を強いることなく、しかも、サマータイム制度の存在しない地域に将来サマータイム制度が設けられるような場合にも、サマータイム期間とそれ以外の期間とでの時刻の調整を行うことができる。
【００２１】
なお、請求項１に記載のように、この時刻調整装置が、時刻計数手段及び日付曜日計数手段の初期値を設定する初期値設定手段を備え、この時刻調整装置の判定手段は、サマータイム情報設定手段でサマータイム期間が設定された際にこの初期値設定手段で前記初期値が設定されていた場合には、現在サマータイム期間であるか否かの判定を行うとともに、この情報の設定後所定時間毎に、現在サマータイム期間であるか否かの判定を行うものであることが好適である。
【００２２】
それにより、サマータイム情報設定手段で情報が設定された際に、その情報の設定がその情報の示すサマータイム期間中に行われたか否かに応じて、時刻計数手段の計数結果が補正手段で補正され、その後も、所定時間毎に、現在サマータイム期間であるか否かに応じて、時刻計数手段の計数結果が補正手段で補正されるので、サマータイム期間とそれ以外の期間とでの時刻の調整が、常時正確に行われるようになる。
【００２３】
また、この時刻調整装置が、時刻計数手段及び日付曜日計数手段の初期値を設定する初期値設定手段を備えている場合には、判定手段を、請求項１に記載のように、サマータイム情報設定手段で情報が設定された際にこの初期値設定手段で初期値が設定されていなかった場合には、この初期値設定手段で初期値が設定された際に、現在サマータイム期間であるか否かの判定を行うものとして構成するとともに、補正手段を、この初期値が設定された際に判定手段により判定が行われた場合には、時刻計数手段の計数結果を補正しないものとして構成することが好適である。
【００２４】
既にサマータイム期間の設定を終えた後にサマータイム期間中に初期値設定手段で時刻計数手段及び日付曜日計数手段の初期値を設定する場合には、サマータイムに合わせて初期値を設定する筈である。したがって、この場合には、その初期値が設定された際に現在サマータイム期間であるか否かの判定を行うとともに、時刻計数手段の計数結果を補正しないことにより、サマータイム期間とそれ以外の期間とでの時刻の調整が正確に行われるようになる。
【００２５】
また、この判定手段を、一例として請求項２に記載のように、現在サマータイム期間であるか否かの判定を行う際に、日付曜日計数手段で計数された日の値Ｄに対して、ｎ＝｛１＋（Ｄ−１）／７｝の整数部の演算を行うことにより、日付曜日計数手段で計数された曜日が日付曜日計数手段で計数された月のｎ週目の曜日であることを算出するものとして構成することが好適である。
【００２６】
それにより、サマータイム期間の開始時または終了時として或る月の特定の週（例えば第１週）の曜日が設定された場合に、簡単な演算に基づき、現在サマータイム期間であるか否かを判定することができるようになる。
【００２７】
さらに、この演算手段の演算によってその曜日がその月の第４週目の曜日であることが算出された場合、一例として請求項３に記載のように、判定手段を、その日の値Ｄに７を加算した値がその月の末日の値よりも大きいか否かによって、その曜日がその月の最終週の曜日であるか否かを判断するものとして構成することが好適である。
【００２８】
それにより、サマータイム期間の開始時または終了時として、特定の週ではなく或る月の最終週の曜日（第５週目ではなく第４週目がその曜日にとってその月の最終週になることもあり得る）が設定された場合にも、簡単な演算に基づき、現在サマータイム期間であるか否かを判定することができるようになる。
【００２９】
次に本出願人は、請求項４に記載のように、時刻を計数する時刻計数手段と、時刻計数手段の計数結果に基づいて日付及び曜日を計数する日付曜日計数手段と、時刻計数手段及び日付曜日計数手段の初期値を設定する初期値設定手段と、サマータイム期間が何月第何週の何曜日から何月第何週の何曜日までかを示す情報を設定するためのサマータイム情報設定手段とを有する装置を用いて、サマータイム期間とサマータイム期間以外の期間とで時刻を調整する時刻調整方法において、サマータイム情報設定手段で情報が設定された際に初期値設定手段で初期値が設定されていなかった場合には、初期値が設定された際に、時刻計数手段及び日付曜日計数手段の計数結果とサマータイム情報設定手段で設定された情報とに基づき、現在サマータイム期間であるか否かの判定を行い、他方、サマータイム情報設定手段で情報が設定された際に初期値設定手段で初期値が設定されていた場合には、情報が設定された際に、時刻計数手段及び日付曜日計数手段の計数結果とサマータイム情報設定手段で設定された情報とに基づき、現在サマータイム期間であるか否かの判定を行い、その判定結果に応じて時刻計数手段の計数結果を補正する第１ステップと、この第１ステップの終了後、所定時間毎に、時刻計数手段及び日付曜日計数手段の計数結果とサマータイム情報設定手段で設定された情報とに基づき、現在サマータイム期間であるか否かの判定を行い、その判定結果に応じて時刻計数手段の計数結果を補正する第２ステップとを含んだものを提案する。
【００３０】
この時刻調整方法では、初期値設定手段で時刻計数手段及び日付曜日計数手段の初期値を設定した際に既にサマータイム情報設定手段でのサマータイム期間の設定を終えていた場合には、第１ステップで、初期値が設定された際に、現在サマータイム期間であるか否かの判定を行うが、時刻計数手段の計数結果の補正は行わない。
【００３１】
他方、初期値設定手段で時刻計数手段及び日付曜日計数手段の初期値を設定した際にまだサマータイム情報設定手段でサマータイム期間を設定していなかった場合には、第１ステップで、サマータイム期間が設定された際に、現在サマータイム期間であるか否かの判定を行い、その判定結果に応じて時刻計数手段の計数結果を補正する。
【００３２】
既にサマータイム期間の設定を終えた後にサマータイム期間中に初期値設定手段で時刻計数手段及び日付曜日計数手段の初期値を設定する場合には、サマータイムに合わせて初期値を設定する筈であるので、第１ステップでこのように場合分けして処理を行うことにより、サマータイム期間とそれ以外の期間とでの時刻の調整が正確に行われる。
【００３３】
そして、続く第２ステップで、所定時間毎に、時刻計数手段及び日付曜日計数手段の計数結果とサマータイム情報設定手段で設定された情報とに基づき、現在サマータイム期間であるか否かの判定を行い、その判定結果に応じて時刻計数手段の計数結果を補正する。
【００３４】
これにより、時刻計数手段及び日付曜日計数手段の初期値とサマータイム期間とが設定された後所定時間毎に、現在サマータイム期間であるか否かに応じて、時刻計数手段の計数結果が補正されるので、サマータイム期間とそれ以外の期間とでの時刻の調整が、常時正確に行われる。
【００３５】
そして、ユーザーはサマータイム期間の設定を一度だけ行えば足り、しかも、サマータイム制度の存在しない地域に将来サマータイム制度が設けられるような場合にも、サマータイム制度が設けられた際にこの設定を行えば足りる。
【００３６】
したがって、ユーザーに繁雑な操作を強いることなく、しかも、サマータイム制度の存在しない地域に将来サマータイム制度が設けられるような場合にも、サマータイム期間とそれ以外の期間とでの時刻の調整を行うことができる。
【００３７】
また、この時刻調整方法において、第１ステップ及び第２ステップでの判定を行う際に、一例として請求項５に記載のように、日付曜日計数手段で計数された日の値Ｄに対して、ｎ＝｛１＋（Ｄ−１）／７｝の整数部の演算を行うことにより、日付曜日計数手段で計数された曜日が日付曜日計数手段で計数された月のｎ週目の曜日であることを算出することが好適である。
【００３８】
それにより、サマータイム期間の開始時または終了時として特定の週の曜日が設定された場合に、簡単な演算に基づき、現在サマータイム期間であるか否かを判定することができるようになる。
【００３９】
さらに、この演算によってその曜日がその月の第４週目の曜日であることが算出された場合、一例として請求項６に記載のように、その日の値Ｄに７を加算した値がその月の末日の値よりも大きいか否かによって、その曜日がその月の最終週の曜日であるか否かを判断することが好適である。
【００４０】
それにより、サマータイム期間の開始時または終了時として最終週の曜日が設定された場合にも、簡単な演算に基づき、現在サマータイム期間であるか否かを判定することができるようになる。
【００４１】
【発明の実施の形態】
以下では、図７に示したような遠隔監視システムの警備員詰め所のテレビ会議端末装置６１側に本発明を採用した例を説明する。
【００４２】
図１は、このテレビ会議端末装置６１側に設けられた時刻調整装置のハードウェア回路構成の一例を示すブロック図である。この時刻調整装置には、所定周波数の基準信号を発信する発信回路１と、発信回路１からの基準信号を分周する分周回路２と、分周回路２で分周された基準信号から時刻を計数する時刻計数回路３と、時刻計数回路３及び日付曜日計数回路４の時刻，日付及び曜日の計数値の初期値を設定する（すなわち時計合わせをする）操作を行うための日付曜日時刻設定キー５と、サマータイム期間が何月第何週の何曜日の何時何分から何月第何週の何曜日の何時何分までかを設定する操作を行うためのサマータイム情報設定キー６と、フラッシュメモリ７と、入出力制御装置（ＩＯＣ）８を介して回路３，４，キー５，６及びフラッシュメモリ７に接続されたマイクロコンピュータ９（ＣＰＵ１０と、ＣＰＵ１０が実行するプログラムを格納したＲＯＭ１１と、ＣＰＵ１０がワーキングメモリとして使用するＲＡＭ１２）とが設けられている。
【００４３】
また、マイクロコンピュータ９は、図７に示したスーパ処理部６４及びＶＴＲ６５とも、ＩＯＣ８を介して接続されている。
【００４４】
日付曜日時刻設定キー５及びサマータイム情報設定キー６としては、例えばキーボード上の特定のキーが割り当てられている。
【００４５】
日付曜日時刻設定キー５の操作により時刻計数回路３及び日付曜日計数回路４の初期値が設定されると、ＣＰＵ１０は、その初期値を示す情報を、ＩＯＣ８を経て取得する。そしてＣＰＵ１０は、現在の計数値をこの初期値の時刻にリセットさせる命令をＩＯＣ８を経て時刻計数回路３に送るとともに、現在の計数値をこの初期値の日付及び曜日にリセットさせる命令をＩＯＣ８を経て日付曜日計数回路４に送る。これにより、時刻計数回路３及び日付曜日計数回路４の計数値がこの初期値にリセットされる。
【００４６】
また、サマータイム情報設定キー６の操作によりサマータイム期間が設定されると、ＣＰＵ１０は、そのサマータイム期間を示す情報を、ＩＯＣ８を経て取得する。そしてＣＰＵ１０は、この情報を記憶させる命令を、ＩＯＣ８を経てフラッシュメモリ７に送る。これにより、この情報がフラッシュメモリ７に記憶される。
【００４７】
時刻計数回路３及び日付曜日計数回路４の初期値が設定された後、ＣＰＵ１０は、時刻計数回路３及び日付曜日計数回路４で計数された時刻，日付及び曜日の情報を、ＩＯＣ８を経て取得する。そしてＣＰＵ１０は、この情報をＩＯＣ８を経てスーパ処理部６４及びＶＴＲ６５に送るが、その際サマータイム期間とそれ以外の期間とで時刻を調整する処理を行う。
【００４８】
図２は、図１の時刻調整装置を、このＣＰＵ１０の処理に対応して機能ブロックとして示した図である。日付曜日時刻設定部２１で初期値を設定された時刻計数回路３及び日付曜日計数回路４で計数された時刻，日付及び曜日の情報と、サマータイム情報設定部２２で設定されてサマータイム情報記憶部２３に記憶されたサマータイム期間の情報とに基づいて、現在サマータイム期間であるか否かの判定がサマータイム期間判定部２４で行われる。そして、その判定結果に応じて、時刻計数回路３及び日付曜日計数回路４で計数された時刻，日付及び曜日の情報が、時刻補正部２５で補正されて、スーパ処理部６４及びＶＴＲ６５に送られる。
【００４９】
日付曜日時刻設定部２１は、図１の日付曜日時刻設定キー５，ＩＯＣ８及びマイクロコンピュータ９に該当し、サマータイム情報設定部２２は、図１のサマータイム情報設定キー６，ＩＯＣ８及びマイクロコンピュータ９に該当し、サマータイム情報記憶部２３は、図１のフラッシュメモリ７，ＩＯＣ８及びマイクロコンピュータ９に該当する。また、サマータイム期間判定部２４は、図１のＩＯＣ８及びマイクロコンピュータ９に該当し、時刻補正部２２も、図１のＩＯＣ８及びマイクロコンピュータ９に該当する。
【００５０】
図３〜図５は、ＣＰＵ１０による時刻の調整の処理（図２のサマータイム期間判定部２４及び時刻補正部２５の処理）の一例を具体的に示すフローチャートである。
このうち図３は、日付曜日時刻設定キー５で初期値が設定された際に開始される処理を示す。この処理では、まず、フラッシュメモリ７からサマータイム期間の情報を読み出す（ステップＳ１）。そして、サマータイム期間の情報が読み出されたか否かを判断する（ステップＳ２）。
【００５１】
イエスであれば（すなわち、既にサマータイム情報設定キー６でサマータイム期間が設定されていれば）、ステップＳ３に進み、そのサマータイム期間と、時刻計数回路３及び日付曜日計数回路４で計数された時刻，日付及び曜日とを比較することにより、現在サマータイム期間中であるか否かを判断する。
【００５２】
ノーであれば、ステップＳ４に進み、ＲＡＭ１２内に設けたサマータイムフラグを、現在サマータイム期間中でないことを表す状態であるオフに設定する。そしてステップＳ５に進み、時刻計数回路３及び日付曜日計数回路４で計数された時刻，日付及び曜日の情報を、そのままスーパ処理部６４及びＶＴＲ６５に送る時刻，日付及び曜日の送付情報として決定する。そして処理を終了する。
【００５３】
これにより、時刻計数回路３及び日付曜日計数回路４で計数された時刻，日付及び曜日の情報がそのまま図７のスーパ処理部６４及びＶＴＲ６５に送られるので、図７のモニター６３にはその時刻，日付及び曜日がスーパインポーズされて表示され、ＶＴＲ６５にもその時刻，日付及び曜日が記録される。
【００５４】
他方、ステップＳ３でイエスと判断した場合には、ステップＳ６に進み、このサマータイムフラグを、現在サマータイム期間中であることを表す状態であるオンに設定する。そして、既にサマータイム期間の設定を終えた後にサマータイム期間中に時刻計数回路３及び日付曜日計数回路４の初期値を設定する場合には、サマータイムに合わせて初期値を設定する筈であるので、この場合にも、やはりステップＳ５に進んで、時刻計数回路３及び日付曜日計数回路４で計数された時刻，日付及び曜日の情報を、そのままスーパ処理部６４及びＶＴＲ６５に送る時刻，日付及び曜日の送付情報として決定する。そして処理を終了する。
【００５５】
これにより、時刻計数回路３及び日付曜日計数回路４で計数された時刻，日付及び曜日の情報（サマータイムに合わせて初期値を設定された時刻，日付及び曜日の情報）がそのままスーパ処理部６４及びＶＴＲ６５に送られるので、モニター６３にはサマータイムに合わせた時刻，日付及び曜日がスーパインポーズされて表示され、ＶＴＲ６５にもその時刻，日付及び曜日が記録される。
【００５６】
なお、ステップＳ２でノーと判断した場合（すなわち、まだサマータイム情報設定キー６でサマータイム期間が設定されていないので、フラッシュメモリ７にサマータイム期間の情報が記憶されていない場合）には、ステップＳ２から直接ステップＳ５に進んで、時刻計数回路３及び日付曜日計数回路４で計数された時刻，日付及び曜日の情報を、そのままスーパ処理部６４及びＶＴＲ６５に送る時刻，日付及び曜日の送付情報として決定する。そして処理を終了する。
【００５７】
これにより、時刻計数回路３及び日付曜日計数回路４で計数された時刻，日付及び曜日の情報がそのままスーパ処理部６４及びＶＴＲ６５に送られるので、モニター６３にはその時刻，日付及び曜日がスーパインポーズされて表示され、ＶＴＲ６５にもその時刻，日付及び曜日が記録される。
【００５８】
次に、図４は、サマータイム情報設定キー６でサマータイム期間が設定された際に開始される処理を示す。この処理では、まず、既に日付曜日時刻設定キー５で時刻計数回路３及び日付曜日計数回路４の初期値が設定されているか否かを判断する（ステップＳ１１）。
【００５９】
ノーであれば、直ちに処理を終了する。この場合には、その後日付曜日時刻設定キー５で初期値が設定された際に、図３の処理でステップＳ２からステップＳ３に進むことになる。
【００６０】
他方イエスであれば、フラッシュメモリ７からサマータイム期間の情報を読み出す（ステップＳ１２）。そして、そのサマータイム期間と、時刻計数回路３及び日付曜日計数回路４で計数された時刻，日付及び曜日とを比較することにより、現在サマータイム期間中であるか否かを判断する（ステップＳ１３）。
【００６１】
イエスであれば、ステップＳ１４に進み、前述のサマータイムフラグをオンに設定する。そして、時刻計数回路３及び日付曜日計数回路４の初期値を設定した際にまだサマータイム期間を設定していない場合には、サマータイムに合わせて初期値を設定してはいない筈であるので、ステップＳ１５に進み、時刻計数回路３及び日付曜日計数回路４で計数された時刻，日付及び曜日をサマータイムに合わせて一定時間（一例として１時間とする）進めた時刻，日付及び曜日の情報を、スーパ処理部６４及びＶＴＲ６５に送る時刻，日付及び曜日の送付情報として決定する。そして処理を終了する。
【００６２】
これにより、時刻計数回路３及び日付曜日計数回路４で計数された時刻，日付及び曜日をサマータイムに合わせて１時間進めた時刻，日付及び曜日の情報が図７のスーパ処理部６４及びＶＴＲ６５に送られるので、図７のモニター６３にはサマータイムに合わせた時刻，日付及び曜日がスーパインポーズされて表示され、ＶＴＲ６５にもその時刻，日付及び曜日が記録される。
【００６３】
他方、ステップＳ１３でノーと判断した場合には、ステップＳ１６に進み、サマータイムフラグをオフに設定する。そしてステップＳ１７に進み、時刻計数回路３及び日付曜日計数回路４で計数された時刻，日付及び曜日の情報を、そのままスーパ処理部６４及びＶＴＲ６５に送る時刻，日付及び曜日の送付情報として決定する。そして処理を終了する。
【００６４】
これにより、時刻計数回路３及び日付曜日計数回路４で計数された時刻，日付及び曜日の情報がそのままスーパ処理部６４及びＶＴＲ６５に送られるので、モニター６３にはその時刻，日付及び曜日がスーパインポーズされて表示され、ＶＴＲ６５にもその時刻，日付及び曜日が記録される。
【００６５】
このように、時刻計数回路３及び日付曜日計数回路４の初期値を設定した際に既にサマータイム期間の設定を終えていた場合には、図３のステップＳ３以下の処理を実行し、他方、時刻計数回路３及び日付曜日計数回路４の初期値を設定した際にまだサマータイム期間を設定していなかった場合には、図４のステップＳ１２以下の処理を実行するというように、処理を場合分けして行うことにより、サマータイム期間とそれ以外の期間とでの時刻の調整が正確に行われる。
【００６６】
次に、図５は、時刻計数回路３及び日付曜日計数回路４の初期値及びサマータイム期間が設定された後、所定時間毎（一例として毎分０秒毎とする）に開始される処理を示す。この処理では、まず、フラッシュメモリ７からサマータイム期間の情報を読み出す（ステップＳ２１）。そして、そのサマータイム期間と、時刻計数回路３及び日付曜日計数回路４で計数された時刻，日付及び曜日とを比較することにより、サマータイム期間の開始時刻が新たに到来したか否かを判断する（ステップＳ２２）。
【００６７】
例えば、サマータイム期間が或る日の午前２時から開始すると設定されている場合には、その日の午前２時０分０秒に開始されたこの図５の処理では、ステップＳ２２でイエスと判断され、それ以外の時刻に開始されたこの図５の処理では、ステップＳ２２でノーと判断されることになる。
【００６８】
イエスであれば、ステップＳ２３に進み、前述のサマータイムフラグをオンに設定する。そしてステップＳ２４に進み、それまでスーパ処理部６４及びＶＴＲ６５に送っていた時刻，日付及び曜日の送付情報を１時間分進めた時刻，日付及び曜日の情報を、スーパ処理部６４及びＶＴＲ６５に送る時刻，日付及び曜日の送付情報として決定する。そして処理を終了する。
【００６９】
他方ノーであれば、ステップＳ２５に進み、サマータイム期間と、時刻計数回路３及び日付曜日計数回路４で計数された時刻，日付及び曜日とを比較することにより、サマータイム期間の終了時刻が新たに到来したか否かを判断する。
【００７０】
例えば、サマータイム期間が或る日の午前２時に終了すると設定されている場合には、その日の午前２時０分０秒に開始されたこの図５の処理では、ステップＳ２５でイエスと判断され、それ以外の時刻に開始されたこの図５の処理では、ステップＳ２５でノーと判断されることになる。
【００７１】
イエスであれば、ステップＳ２６に進み、サマータイムフラグをオフに設定する。そしてステップＳ２７に進み、それまでスーパ処理部６４及びＶＴＲ６５に送っていた時刻，日付及び曜日の送付情報を１時間分遅らせた時刻，日付及び曜日の情報を、スーパ処理部６４及びＶＴＲ６５に送る時刻，日付及び曜日の送付情報として決定する。そして処理を終了する。
【００７２】
他方ノーであれば、ステップＳ２８に進み、現在サマータイムフラグがオンであるか否かを判断する。イエスであれば、ステップＳ２９に進み、サマータイムフラグをオンに設定したときにスーパ処理部６４及びＶＴＲ６５に送る時刻，日付及び曜日の送付情報を決定したの同じ態様で、スーパ処理部６４及びＶＴＲ６５に送る時刻，日付及び曜日の送付情報を決定する。そして処理を終了する。
【００７３】
他方ノーであれば（すなわち現在サマータイムフラグがオフであれば）、ステップＳ３０に進み、サマータイムフラグをオフに設定したときにスーパ処理部６４及びＶＴＲ６５に送る時刻，日付及び曜日の送付情報を決定したの同じ態様で、スーパ処理部６４及びＶＴＲ６５に送る時刻，日付及び曜日の送付情報を決定する。そして処理を終了する。
【００７４】
この図５の処理によりサマータイム期間とそれ以外の期間とでの時刻の調整が行われる様子を説明すると、次の（１）〜（４）の通りである。
【００７５】
（１）時刻計数回路３及び日付曜日計数回路４の初期値を設定した際に既にサマータイム期間の設定を終えており、且つ、初期値を設定したのがサマータイム期間中でなかったことにより、図３のステップＳ３，Ｓ４及びＳ５を経た場合には、サマータイム期間の開始時刻が到来するまで、図５のステップＳ２１，Ｓ２２，Ｓ２５，Ｓ２８及びＳ３０を経ることにより、サマータイムフラグをオフに設定したときにスーパ処理部６４及びＶＴＲ６５に送る時刻，日付及び曜日の送付情報を決定したの同じ態様で、スーパ処理部６４及びＶＴＲ６５に送る時刻，日付及び曜日の送付情報が決定される。
【００７６】
そして、サマータイム期間の開始時刻が到来すると、図５のステップＳ２１，Ｓ２２，Ｓ２３及びＳ２４を経ることにより、サマータイムフラグがオンに設定されるとともに、それまでスーパ処理部６４及びＶＴＲ６５に送っていた時刻，日付及び曜日の送付情報を１時間分進めた時刻，日付及び曜日の情報が、スーパ処理部６４及びＶＴＲ６５に送る時刻，日付及び曜日の送付情報として決定される。
【００７７】
そして、その後サマータイム期間の終了時刻が到来するまでは、図５のステップＳ２１，Ｓ２２，Ｓ２５，Ｓ２８及びＳ２９を経ることにより、サマータイムフラグをオンに設定したときにスーパ処理部６４及びＶＴＲ６５に送る時刻，日付及び曜日の送付情報を決定したの同じ態様で、スーパ処理部６４及びＶＴＲ６５に送る時刻，日付及び曜日の送付情報が決定される。
【００７８】
そして、サマータイム期間の終了時刻が到来すると、図５のステップＳ２１，Ｓ２２，Ｓ２５，Ｓ２６及びＳ２７を経ることにより、サマータイムフラグがオフに設定されるとともに、それまでスーパ処理部６４及びＶＴＲ６５に送っていた時刻，日付及び曜日の送付情報を１時間分遅らせた時刻，日付及び曜日の情報が、スーパ処理部６４及びＶＴＲ６５に送る時刻，日付及び曜日の送付情報として決定される。
【００７９】
そして、再びサマータイム期間の開始時刻が到来するまで、図５のステップＳ２１，Ｓ２２，Ｓ２５，Ｓ２８及びＳ３０を経ることにより、サマータイムフラグをオフに設定したときにスーパ処理部６４及びＶＴＲ６５に送る時刻，日付及び曜日の送付情報を決定したの同じ態様で、スーパ処理部６４及びＶＴＲ６５に送る時刻，日付及び曜日の送付情報が決定され、以下、同じ過程を繰り返す。
【００８０】
したがって、この場合には、サマータイム期間では、時刻計数回路３及び日付曜日計数回路４で計数された時刻，日付及び曜日をサマータイムに合わせて１時間進めた時刻，日付及び曜日の情報が、スーパ処理部６４及びＶＴＲ６５に送る時刻，日付及び曜日の送付情報として決定され、サマータイム期間以外の期間では、時刻計数回路３及び日付曜日計数回路４で計数された時刻，日付及び曜日の情報が、そのままスーパ処理部６４及びＶＴＲ６５に送る時刻，日付及び曜日の送付情報として決定される。
【００８１】
これにより、サマータイム期間には、時刻計数回路３及び日付曜日計数回路４で計数された時刻，日付及び曜日をサマータイムに合わせて１時間進めた時刻，日付及び曜日の情報がスーパ処理部６４及びＶＴＲ６５に送られるので、モニター６３にはサマータイムに合わせた時刻，日付及び曜日がスーパインポーズされて表示され、ＶＴＲ６５にもその時刻，日付及び曜日が記録される。
【００８２】
また、サマータイム期間以外の期間には、時刻計数回路３及び日付曜日計数回路４で計数された時刻，日付及び曜日の情報がそのままスーパ処理部６４及びＶＴＲ６５に送られるので、モニター６３にはその時刻，日付及び曜日がスーパインポーズされて表示され、ＶＴＲ６５にもその時刻，日付及び曜日が記録される。
【００８３】
（２）これに対し、時刻計数回路３及び日付曜日計数回路４の初期値を設定した際に既にサマータイム期間の設定を終えており、且つ、初期値を設定したのがサマータイム期間中であったことにより、図３のステップＳ３，Ｓ６及びＳ５を経た場合には、サマータイム期間の終了時刻が到来するまで、図５のステップＳ２１，Ｓ２２，Ｓ２５，Ｓ２８及びＳ２９を経ることにより、サマータイムフラグをオンに設定したときにスーパ処理部６４及びＶＴＲ６５に送る時刻，日付及び曜日の送付情報を決定したの同じ態様で、スーパ処理部６４及びＶＴＲ６５に送る時刻，日付及び曜日の送付情報が決定される。
【００８４】
そして、サマータイム期間の終了時刻が到来すると、図５のステップＳ２１，Ｓ２２，Ｓ２５，Ｓ２６及びＳ２７を経ることにより、それまでスーパ処理部６４及びＶＴＲ６５に送っていた時刻，日付及び曜日の送付情報を１時間分遅らせた時刻，日付及び曜日の情報が、スーパ処理部６４及びＶＴＲ６５に送る時刻，日付及び曜日の送付情報として決定される。
【００８５】
そして、その後サマータイム期間の開始時刻が到来するまで、図５のステップＳ２１，Ｓ２２，Ｓ２５，Ｓ２８及びＳ３０を経ることにより、サマータイムフラグをオフに設定したときにスーパ処理部６４及びＶＴＲ６５に送る時刻，日付及び曜日の送付情報を決定したの同じ態様で、スーパ処理部６４及びＶＴＲ６５に送る時刻，日付及び曜日の送付情報が決定される。
【００８６】
そして、サマータイム期間の開始時刻が到来すると、図５のステップＳ２１，Ｓ２２，Ｓ２３及びＳ２４を経ることにより、それまでスーパ処理部６４及びＶＴＲ６５に送っていた時刻，日付及び曜日の送付情報を１時間分進めた時刻，日付及び曜日の情報が、スーパ処理部６４及びＶＴＲ６５に送る時刻，日付及び曜日の送付情報として決定される。
【００８７】
そして、再びサマータイム期間の終了時刻が到来するまで、図５のステップＳ２１，Ｓ２２，Ｓ２５，Ｓ２８及びＳ２９を経ることにより、サマータイムフラグをオンに設定したときにスーパ処理部６４及びＶＴＲ６５に送る時刻，日付及び曜日の送付情報を決定したの同じ態様で、スーパ処理部６４及びＶＴＲ６５に送る時刻，日付及び曜日の送付情報が決定され、以下、同じ過程を繰り返す。
【００８８】
したがって、この場合には、サマータイム期間では、時刻計数回路３及び日付曜日計数回路４で計数された時刻，日付及び曜日の情報（サマータイムに合わせて初期値を設定された時刻，日付及び曜日の情報）が、そのままスーパ処理部６４及びＶＴＲ６５に送る時刻，日付及び曜日の送付情報として決定され、サマータイム期間以外の期間では、時刻計数回路３及び日付曜日計数回路４で計数された時刻，日付及び曜日を１時間遅らせた時刻，日付及び曜日の情報が、スーパ処理部６４及びＶＴＲ６５に送る時刻，日付及び曜日の送付情報として決定される。
【００８９】
これにより、サマータイム期間には、時刻計数回路３及び日付曜日計数回路４で計数された時刻，日付及び曜日の情報（サマータイムに合わせて初期値を設定された時刻，日付及び曜日の情報）がそのままスーパ処理部６４及びＶＴＲ６５に送られるので、モニター６３にはサマータイムに合わせた時刻，日付及び曜日がスーパインポーズされて表示され、ＶＴＲ６５にもその時刻，日付及び曜日が記録される。
【００９０】
また、サマータイム期間以外の期間には、時刻計数回路３及び日付曜日計数回路４で計数された時刻，日付及び曜日を１時間遅らせた時刻，日付及び曜日の情報（サマータイム期間以外の通常の時刻，日付及び曜日の情報）がスーパ処理部６４及びＶＴＲ６５に送られるので、モニター６３にはその時刻，日付及び曜日がスーパインポーズされて表示され、ＶＴＲ６５にもその時刻，日付及び曜日が記録される。
【００９１】
（３）これに対し、時刻計数回路３及び日付曜日計数回路４の初期値を設定した際にまだサマータイム期間の設定を行っておらず、且つ、サマータイム期間の設定を行ったのがそのサマータイム期間であったことにより、図４のステップＳ１１，Ｓ１２，Ｓ１３，Ｓ１４及びＳ１５を経た場合には、上記（２）と同じ過程を繰り返す。
【００９２】
したがって、この場合には、サマータイム期間では、時刻計数回路３及び日付曜日計数回路４で計数された時刻，日付及び曜日をサマータイムに合わせて１時間進めた時刻，日付及び曜日の情報が、スーパ処理部６４及びＶＴＲ６５に送る時刻，日付及び曜日の送付情報として決定され、サマータイム期間以外の期間では、時刻計数回路３及び日付曜日計数回路４で計数された時刻，日付及び曜日の情報が、そのままスーパ処理部６４及びＶＴＲ６５に送る時刻，日付及び曜日の送付情報として決定される。
【００９３】
これにより、サマータイム期間には、時刻計数回路３及び日付曜日計数回路４で計数された時刻，日付及び曜日をサマータイムに合わせて１時間進めた時刻，日付及び曜日の情報がスーパ処理部６４及びＶＴＲ６５に送られるので、モニター６３にはサマータイムに合わせた時刻，日付及び曜日がスーパインポーズされて表示され、ＶＴＲ６５にもその時刻，日付及び曜日が記録される。
【００９４】
また、サマータイム期間以外の期間には、時刻計数回路３及び日付曜日計数回路４で計数された時刻，日付及び曜日の情報がそのままスーパ処理部６４及びＶＴＲ６５に送られるので、モニター６３にはその時刻，日付及び曜日がスーパインポーズされて表示され、ＶＴＲ６５にもその時刻，日付及び曜日が記録される。
【００９５】
（４）これに対し、時刻計数回路３及び日付曜日計数回路４の初期値を設定した際にまだサマータイム期間の設定を行っておらず、且つ、サマータイム期間の設定を行ったのがそのサマータイム期間でなかったことにより、図４のステップＳ１１，Ｓ１２，Ｓ１３，Ｓ１６及びＳ１７を経た場合には、上記（１）と同じ過程を繰り返す。
【００９６】
したがって、この場合には、サマータイム期間では、時刻計数回路３及び日付曜日計数回路４で計数された時刻，日付及び曜日をサマータイムに合わせて１時間進めた時刻，日付及び曜日の情報が、スーパ処理部６４及びＶＴＲ６５に送る時刻，日付及び曜日の送付情報として決定され、サマータイム期間以外の期間では、時刻計数回路３及び日付曜日計数回路４で計数された時刻，日付及び曜日の情報が、そのままスーパ処理部６４及びＶＴＲ６５に送る時刻，日付及び曜日の送付情報として決定される。
【００９７】
これにより、サマータイム期間には、時刻計数回路３及び日付曜日計数回路４で計数された時刻，日付及び曜日をサマータイムに合わせて１時間進めた時刻，日付及び曜日の情報がスーパ処理部６４及びＶＴＲ６５に送られるので、モニター６３にはサマータイムに合わせた時刻，日付及び曜日がスーパインポーズされて表示され、ＶＴＲ６５にもその時刻，日付及び曜日が記録される。
【００９８】
また、サマータイム期間以外の期間には、時刻計数回路３及び日付曜日計数回路４で計数された時刻，日付及び曜日の情報がそのままスーパ処理部６４及びＶＴＲ６５に送られるので、モニター６３にはその時刻，日付及び曜日がスーパインポーズされて表示され、ＶＴＲ６５にもその時刻，日付及び曜日が記録される。
【００９９】
このようにして、この図５の処理により、時刻計数回路３及び日付曜日計数回路４の初期値及びサマータイム期間の設定がいつ行われた場合にも、その後常時正確に、サマータイム期間とそれ以外の期間とでの時刻の調整が行われるので、モニター６３，ＶＴＲ６５にはそれぞれ常時正確な時刻が表示，記録される。
【０１００】
最後に、ＣＰＵ１０が図３のステップＳ３，図４のＳ１３，図５のＳ２２，Ｓ２５で現在サマータイム期間中であるか否かの判定やサマータイム期間の開始時刻や終了時刻が新たに到来したか否かの判定を行う際に、日付曜日計数回路４で計数された日付（何月何日何曜日か）のうちの曜日がその月の第何週目の曜日であるかの判断、及び、その曜日にとって第４週目がその月の最終週であるか否かの判断を行うために実行する演算処理について、具体的に説明する。
【０１０１】
図６は、この処理の一例を示すフローチャートであり、最初に、日付曜日計数回路４から取得した日付（何月何日何曜日か）の情報から、現在の日の値Ｄ（例えば２４日であればＤ＝２４）を求める（ステップＳ３１）。そして、下記の数１の演算を行うことにより、現在の曜日が現在の月の第ｎ週目の曜日であることを算出する（ステップＳ３２）。
ｎ＝｛１＋（Ｄ−１）／７｝の整数部
【０１０２】
続いて、このｎの値が４であるか否か（すなわちその曜日が第４週目の曜日であるか否か）を判断する（ステップＳ３３）。ノーであれば、処理を終了する。他方イエスであれば、ステップＳ３４に進み、値Ｄに７を加算した値が、その月の末日の値（例えば４月であれば３０）よりも大きいか否かを判断する。
【０１０３】
イエスであれば（例えば４月であってＤ＝２４のときにはイエスとなる）、ステップＳ３５に進み、その曜日にとって第４週目がその月の最終週である（例えば４月２４日が土曜日であれば土曜日にとって第４週目が４月の最終週である）と判断する。そして処理を終了する。他方ノーであれば、ステップＳ３６に進み、その曜日にとって第４週目がその月の最終週ではない（すなわちその曜日にとって第５週目がその月の最終週である）と判断する。そして処理を終了する。
【０１０４】
この図６のステップＳ３１及びＳ３２の処理により、その曜日がその月の第何週目の曜日であるかが簡単な演算によって算出されるので、サマータイム期間の開始時または終了時として或る月の特定の週（例えば第１週目）の曜日が設定された場合に、簡単な演算に基づき、図３のステップＳ３，図４のＳ１３，図５のＳ２２，Ｓ２５の処理が行われる。
【０１０５】
さらに、その曜日がその月の第４週目の曜日である場合、図６のステップＳ３３〜Ｓ３６の処理により、その曜日にとって第４週目がその月の最終週であるか否かが簡単な演算によって判断されるので、サマータイム期間の開始時または終了時として、特定の週ではなく或る月の最終週の曜日が設定された場合にも、簡単な演算に基づき、図３のステップＳ３，図４のＳ１３，図５のＳ２２，Ｓ２５の処理が行われる。
【０１０６】
以上のように、この時刻調整装置によれば、サマータイム期間とそれ以外の期間とでの時刻の調整が、常時正確に行われる。
【０１０７】
また、ユーザーはサマータイム情報設定キー６の操作によるサマータイム期間の設定を一度だけ行えば足り、しかも、サマータイム制度の存在しない地域に将来サマータイム制度が設けられるような場合にも、サマータイム制度が設けられた際にこの設定を行えば足りる。
【０１０８】
したがって、ユーザーに繁雑な操作を強いることなく、しかも、サマータイム制度の存在しない地域に将来サマータイム制度が設けられるような場合にも、サマータイム期間とそれ以外の期間とでの時刻の調整を行うことができる。
【０１０９】
また、サマータイム期間の開始時または終了時として或る月の特定の週の曜日と最終週の曜日とのいずれが設定された場合にも、簡単な演算に基づき、現在サマータイム期間中であるか否かの判定や、サマータイム期間の開始時刻や終了時刻が新たに到来したか否かの判定を行うことができる。
【０１１０】
なお、以上の例では、テレビ会議システムを応用した遠隔監視システムに本発明を採用しているが、テレビ会議システムを応用した他の適宜のシステムや、テレビ会議システムそのものにも本発明を採用してよい。あるいはまた、置時計や腕時計のような時計にも本発明を採用してよい。
【０１１１】
また、以上の例では、時刻の調整処理をマイクロコンピュータに実行させているが、専用のプロセッサにこの調整処理を実行させるようにしてもよい。
また、本発明は、以上の例に限らず、本発明の要旨を逸脱することなく、その他様々の構成をとりうることはもちろんである。
【０１１２】
【発明の効果】
以上のように、本発明に係る請求項１に記載の時刻調整装置によれば、ユーザーに繁雑な操作を強いることなく、しかも、サマータイム制度の存在しない地域に将来サマータイム制度が設けられるような場合にも、サマータイム期間とそれ以外の期間とでの時刻の調整を行うことができるという効果が得られる。
【０１１３】
また、請求項１に記載の時刻調整装置によれば、サマータイム期間とそれ以外の期間とでの時刻の調整を、常時正確に行うことができるという効果も得られる。
【０１１４】
また、請求項１に記載の時刻調整装置によれば、既にサマータイム期間の設定を終えた後にサマータイム期間中に時刻計数手段及び日付曜日計数手段の初期値を設定する場合にも、サマータイム期間とそれ以外の期間とでの時刻の調整を正確に行うことができるという効果も得られる。
【０１１５】
また、請求項２に記載の時刻調整装置によれば、サマータイム期間の開始時または終了時として或る月の特定の週の曜日が設定された場合に、簡単な演算に基づき、現在サマータイム期間であるか否かを判定することができるという効果も得られる。
【０１１６】
また、請求項３に記載の時刻調整装置によれば、サマータイム期間の開始時または終了時として或る月の最終週の曜日が設定された場合にも、簡単な演算に基づき、現在サマータイム期間であるか否かを判定することができるという効果も得られる。
【０１１７】
次に、本発明に係る請求項４に記載の時刻調整方法によれば、時刻計数手段及び日付曜日計数手段の初期値を設定した際に既にサマータイム期間の設定を終えていた場合と、時刻計数手段及び日付曜日計数手段の初期値を設定した際にまだサマータイム期間を設定していなかった場合とで、時刻計数手段の計数結果の補正を場合分けして行うことにより、サマータイム期間とそれ以外の期間とでの時刻の調整を正確に行うことができるという効果が得られる。
【０１１８】
また、時刻計数手段及び日付曜日計数手段の初期値とサマータイム期間とが設定された後所定時間毎に、現在サマータイム期間であるか否かに応じて、時刻計数手段の計数結果が補正手段で補正されるので、サマータイム期間とそれ以外の期間とでの時刻の調整を常時正確に行うことができるという効果も得られる。
【０１１９】
また、ユーザーに繁雑な操作を強いることなく、しかも、サマータイム制度の存在しない地域に将来サマータイム制度が設けられるような場合にも、サマータイム期間とそれ以外の期間とでの時刻の調整を行うことができるという効果が得られる。
【０１２０】
また、請求項５に記載の時刻調整方法によれば、サマータイム期間の開始時または終了時として或る月の特定の週の曜日が設定された場合に、簡単な演算に基づき、現在サマータイム期間であるか否かを判定することができるという効果も得られる。
【０１２１】
また、請求項６に記載の時刻調整方法によれば、サマータイム期間の開始時または終了時として或る月の最終週の曜日が設定された場合にも、簡単な演算に基づき、現在サマータイム期間であるか否かを判定することができるという効果も得られる。
【図面の簡単な説明】
【図１】本発明に係る時刻調整装置のハードウェア回路構成の一例を示すブロック図である。
【図２】図１の時刻調整装置の機能ブロック図である。
【図３】図１のＣＰＵが実行する処理の一例を示すフローチャートである。
【図４】図１のＣＰＵが実行する処理の一例を示すフローチャートである。
【図５】図１のＣＰＵが実行する処理の一例を示すフローチャートである。
【図６】図１のＣＰＵが実行する処理の一例を示すフローチャートである。
【図７】テレビ会議システムを応用した遠隔監視システムの概要を示す図である。
【図８】図７のテレビ会議端末装置に従来設けられていた時刻調整装置の構成の一例を示す図である。
【符号の説明】
１  発信回路、  ２  分周回路、  ３  時刻計数回路、  ４  日付曜日計数回路、  ５  日付曜日時刻設定キー、  ６  サマータイム情報設定キー、  ７  フラッシュメモリ、  ８  入出力制御装置（ＩＯＣ）、  ９  マイクロコンピュータ、  １０  ＣＰＵ、  １１  ＲＯＭ、  １２  ＲＡＭ、  ２１  日付曜日時刻設定部、  ２２  サマータイム情報設定部、  ２３  サマータイム情報記憶部、２４  サマータイム期間判定部、  ２５  時刻補正部、  ５１，６１  テレビ会議端末装置、  ５２  ビデオカメラ、  ５３，６２  画像コーデック、  ６３モニター、  ６４  スーパ処理部、  ６５  ＶＴＲ
【図１】
0004385442.tif 000002
【図２】
0004385442.tif 000003
【図３】
0004385442.tif 000004
【図４】
0004385442.tif 000005
【図５】
0004385442.tif 000006
【図６】
0004385442.tif 000007
【図７】
0004385442.tif 000008
【図８】
0004385442.tif 000009